【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
応対可能性ステータスを提供するための、コンピューティングデバイス上で実行される方法であって、
ユーザーの場所が該ユーザーの通常の作業場所以外であることを判定するステップと、
前記ユーザーの実際の場所を、全地球測位システム（ＧＰＳ）、無線ネットワーク三角測量、または前記ユーザーの前記場所の有線ネットワーク追跡を利用して求めるステップと、
前記ユーザーが少なくとも限定されたやり方で応対可能であることを判定するステップと、
前記ユーザーに「他所での作業」ステータスを割り当てるステップであって、該「他所での作業」ステータスは、前記ユーザーの前記通常の作業場所以外の前記場所における前記ユーザーの応対可能性を示す、ステップと、
前記ユーザーの「他所での作業」ステータスを、「空いている」、「取り込み中」、「不確定」、および「外出中」のうちの少なくとも１つのステータスに加えて、ステータス情報を使用する１つまたは複数のアプリケーションに公開するステップと
を含む方法。
【請求項２】
請求項１に記載の方法であって、前記ユーザーの場所および応対可能性は、ローカルアプリケーションおよびホステッドサービスのうちの１つによって判定される、方法。
【請求項３】
請求項２に記載の方法であって、前記ローカルアプリケーションは、スケジューリング・アプリケーションおよび通信アプリケーションのうちの１つである、方法。
【請求項４】
請求項２に記載の方法であって、前記ホステッドサービスは、スケジューリングサービス、通信サービス、および場所ベースのサービスのうちの１つである、方法。
【請求項５】
請求項２に記載の方法であって、前記「他所での作業」ステータスは、前記ホステッドサービスによりプレゼンスステータスとして公開される、方法。
【請求項６】
請求項１に記載の方法であって、
前記ユーザーの前記場所および応対可能性を、応対可能性ステータスのユーザー選択から求めるステップ
をさらに含む方法。
【請求項７】
請求項１に記載の方法であって、前記「他所での作業」ステータスを、前記ユーザーの前記場所および応対可能性を推測することに基づき割り当てるステップ
をさらに含む方法。
【請求項８】
請求項７に記載の方法であって、前記ユーザーの前記場所および応対可能性は、個人用カレンダーと、作業カレンダーと、前記ユーザーのコンピューティングデバイスにおいて利用可能な通信モダリティと、前記ユーザーの前記コンピューティングデバイスにおいてアクティブにされた通信モダリティと、前記ユーザーの前記実際の場所とのセットのうちの少なくとも１つから取得された情報に基づき推測される、方法。
【請求項９】
請求項８に記載の方法であって、
前記ユーザーの前記実際の場所を、前記「他所での作業」ステータスと一緒に、権限付与されたユーザーに公開するステップ
をさらに含む方法。
【請求項１０】
命令を記憶するように構成されたメモリと、
前記メモリに結合されたプロセッサであって、前記メモリに記憶された前記命令と協働してアプリケーションを実行するプロセッサと
を含む、応対可能性ステータスを提供するためのコンピューティングデバイスであって、前記アプリケーションは、
ユーザーの場所が該ユーザーの通常の作業場所以外であることを判定し、
前記ユーザーの実際の場所を、全地球測位システム（ＧＰＳ）、無線ネットワーク三角測量、または前記ユーザーの前記場所の有線ネットワーク追跡を利用して求め、
前記ユーザーが少なくとも限定されたやり方で応対可能であるとことを判定し、
前記ユーザーに「他所での作業」ステータスを割り当て、該「他所での作業」ステータスは、前記ユーザーの前記通常の作業場所以外の前記場所における前記ユーザーの応対可能性を示し、
前記ユーザーの「他所での作業」ステータスを、「空いている」、「取り込み中」、「不確定」、および「外出中」のうちの少なくとも１つのステータスに加えて、ステータス情報を使用する１つまたは複数のアプリケーションに公開する
ように構成された、コンピューティングデバイス。
【請求項１１】
請求項１０に記載のコンピューティングデバイスであって、前記アプリケーションは、
前記ユーザーの前記場所および応対可能性を、個人用カレンダーと、作業カレンダーと、前記ユーザーの前記コンピューティングデバイスにおいて利用可能な通信モダリティと、前記ユーザーの前記コンピューティングデバイスにおいてアクティブにされた通信モダリティと、ロケーションサービスと、ソーシャルネットワーキングサイトのスケジュールと、作業関連アプリケーションの使われ方と、建物のアクセスシステムの使われ方と、バイオメトリックアクセスシステムの使われ方とのセットのうちの少なくとも１つから取得された情報に基づき推測する
ようにさらに構成された、コンピューティングデバイス。
【請求項１２】
請求項１０に記載のコンピューティングデバイスであって、前記アプリケーションは、
前記ユーザーの前記実際の場所と、前記ユーザーに利用可能な通信モダリティと、前記ユーザーのためのスケジューリング情報とのうちの１つまたは複数を含む追加の情報を、前記「他所での作業」ステータスと一緒に公開する
ようにさらに構成された、コンピューティングデバイス。
【請求項１３】
請求項１２に記載のコンピューティングデバイスであって、前記追加の情報は、ユーザー選好と、デフォルトのルールと、カスタマイズ可能なルールと、他のユーザーの許可レベルとのセットのうちの少なくとも１つに基づき公開される、コンピューティングデバイス。
【請求項１４】
請求項１０に記載のコンピューティングデバイスであって、前記アプリケーションは、通信アプリケーションと、スケジューリング・アプリケーションと、場所ベースのサービス・アプリケーションとのうちの１つである、コンピューティングデバイス。
【請求項１５】
請求項１０に記載のコンピューティングデバイスであって、前記アプリケーションは、
前記ユーザーとの通信のモダリティを、前記「他所での作業」ステータスに基づき求めるように構成され、前記モダリティは、音声通信と、ビデオ通信と、データ交換と、アプリケーション共有と、テキストメッセージ交換とのうちの１つまたは複数を含む、コンピューティングデバイス。
【請求項１６】
請求項１０に記載のコンピューティングデバイスであって、前記ユーザーの前記場所は、自宅の場所と、異なる作業関連場所と、交通手段モードとのうちの１つである、コンピューティングデバイス。
【請求項１７】
応対可能性ステータスを提供するための命令が記憶されたコンピューター可読メモリデバイスであって、前記命令はコンピューターにある方法を実行させ、前記方法は、
ユーザーの場所が該ユーザーの通常の作業場所以外であることを判定するステップと、
前記ユーザーの実際の場所を、全地球測位システム（ＧＰＳ）、無線ネットワーク三角測量、または前記ユーザーの前記場所の有線ネットワーク追跡を利用して求めるステップと、
前記ユーザーが少なくとも限定されたやり方で応対可能であるとことを判定するステップと、
前記ユーザーに「他所での作業」ステータスを割り当てるステップであって、該「他所での作業」ステータスは、前記ユーザーの前記通常の作業場所以外の前記場所における前記ユーザーの応対可能性を示す、ステップと、
前記ユーザーの「他所での作業」ステータスを、「空いている」、「取り込み中」、「不確定」、および「外出中」のうちの少なくとも１つのステータスに加えて、ステータス情報を使用する１つまたは複数のアプリケーションに公開するステップと、
前記ユーザーの「他所での作業」ステータス内に利用可能な通信モダリティの詳細を示すステップと、
前記ユーザーが、前記利用可能な通信モダリティを、前記ユーザーの場所に応じて選択することを可能にするステップと、
別のユーザーが、オンライン会議をスケジュールすることと、対面での会議をずらすことと、対面での会議をキャンセルすることと、前記ユーザーとの計画された通信セッションに利用可能な通信モダリティを選択することとのうちの少なくとも１つを、前記「他所での作業」ステータスおよび前記「他所での作業」ステータス内に示された前記詳細に基づきすることを可能にするステップと
を含む、コンピューター可読メモリデバイス。
【請求項１８】
請求項１７に記載のコンピューター可読メモリデバイスであって、前記方法は、
通信サービスに、前記ユーザーに対する通信モダリティを、前記「他所での作業」ステータスに基づき限定するよう通知するステップ
をさらに含む、コンピューター可読メモリデバイス。
【請求項１９】
請求項１７に記載のコンピューター可読メモリデバイスであって、前記方法は、
前記ユーザーに関連付けられた前記場所およびスケジュール情報を受信するために、別のユーザーの権限付与レベルを判定するステップと、
前記別のユーザーの権限付与レベルが十分である場合に、前記ユーザーの前記実際の場所および追加のスケジュール情報を、前記別のユーザーに公開するステップと
をさらに含む、コンピューター可読メモリデバイス。
【請求項２０】
請求項１７から１９のうちの何れか一項に記載の命令を含むプログラム。